(57)【要約】【課題】快適なバルコニー空間を構成し、植栽植物の管理を容易としながら、建物の景観も良好としたバルコニーの提供。【解決手段】バルコニー床１０とバルコニー手摺３０とを備えるバルコニーＡであって、このバルコニーＡにおけるバルコニー床１０の外周縁部に植物Ｅの植栽容器Ｄの落下を防ぐ立上り壁２０が設けてあり、この立上り壁２０との間に植物Ｅの植栽容器Ｄを並べ置き得る植栽容器用床面１０ｂを設けるように当該立上り壁２０から離してバルコニー手摺３０が設けてあり、この植栽容器用床面１０ｂに沿って設けられているバルコニー手摺３０の下部に当該植栽容器Ｄの植物Ｅの管理用開口部Ｃが当該植栽容器用床面１０ｂに沿って設けてある。【選択図】図１
2007224690.tif 000002
【特許請求の範囲】
【請求項１】
バルコニー床とバルコニー手摺とを備えるバルコニーであって、
このバルコニーにおけるバルコニー床の外周縁部に植物の植栽容器の落下を防ぐ立上り壁が設けてあり、この立上り壁との間に植物の植栽容器を並べ置き得る植栽容器用床面を設けるように当該立上り壁から離してバルコニー手摺が設けてあり、
この植栽容器用床面に沿って設けられているバルコニー手摺の下部に当該植栽容器の植物の管理用開口部が当該植栽容器用床面に沿って設けてあることを特徴とするバルコニー。
【請求項２】
前記管理用開口部に引き戸が備えられていることを特徴とする請求項１に記載のバルコニー。
【請求項３】
前記管理用開口部の縦幅が１５０ｍｍ〜３５０ｍｍであることを特徴とする請求項１または請求項２に記載のバルコニー。
【発明の詳細な説明】
【技術分野】
【０００１】
この発明は、バルコニー機能を何等損なうことなく、当該バルコニーをすっきりとした態様で、容易に花卉類の植栽管理をなし得ると共に住宅の外観を花卉類で整え得るようにしたバルコニーの提供に関する。
【背景技術】
【０００２】
バルコニーは、通例、生活空間の一部として各種の日常生活の場として用いられる反面、憩いの場としても重要な意味を有しており、バルコニーをすっきりとした空間に整える必要があった。
【０００３】
また、各種の植物、特に花卉類の植栽は、ストレスの除去や情操教育等、種々の点から意義深いものがあった。
【０００４】
また、近時、各家庭における花卉類の鑑賞と共に街並の景観を各家庭における花卉類によって整え、居住性を高めることがこころみられている。
【０００５】
バルコニーまたは屋上の床面が防水処理され、この防水処理された床面上の一部に、植物が植えられたプランタが載直され、このプランタが載直された載置部と、その他の前記床面との境界部に、前記プランタより高い仕切部が設けられているバルコニー等の緑化構造がある（例えば、特許文献１）。
【０００６】
また、ベランダ等の堰璧と、該堰璧上に配設される手摺り主体とからなる手摺りであって、手摺り主体の一部を、屋外側に張り出す座部と、座部張り出し端部より立ち上る背部と、座部と背部との間に形成される左右妻部とからなる縦断面略Ｌ字状の屋外張り出し手摺り主体を格子部材によって構成した花壇として機能する手摺がある（例えば、特許文献２）。
【０００７】
【特許文献１】特開平１０−８４７７４号公報
【特許文献２】特開平１１−３４３７１７号公報
【発明の開示】
【発明が解決しようとする課題】
【０００８】
特許文献１に示される緑化構造では、バルコニーの床面に花壇状の緑地部分を構成することからバルコニーが煩瑣な態様とされ、すっきりとした態様で当該バルコニーを用いることが難しく、また、当該バルコニーを構成する手摺を採光の都合上、ガラス材や格子材によって構成する必要があり、外部からバルコニー内が見られる不具合があった。また、かかる構成からなる緑化構造では、バルコニーに植栽されている植物によって、建物の屋外の景観を整える手段として用いることができなかった。
【０００９】
特許文献２に示される手摺では、ベランダやバルコニーにおける屋内側のスペースを阻害することなくベランダやバルコニーでガーデニングを楽しむことができる反面、花壇とされた当該手摺における格子が妨げとなって、建物の外観を植栽した花卉類によって演出することは難しかった。
【００１０】
この発明は、かかる点から、バルコニーから安全に、しかも、容易に植栽花卉類の管理や植え替え等をなすことができると共に、バルコニーをすっきりとした状態に維持でき、室内から当該植栽花卉類の観賞をなすことができ、同時に、建物の景観を当該花卉類によって高めることのできるバルコニーの提供をなそうとするものである。
【課題を解決するための手段】
【００１１】
この発明は、前記課題を解決するために、バルコニー床とバルコニー手摺とを備えるバルコニーであって、このバルコニーにおけるバルコニー床の外周縁部に植物の植栽容器の落下を防ぐ立上り壁が設けてあり、この立上り壁との間に植物の植栽容器を並べ置き得る植栽容器用床面を設けるように当該立上り壁から離してバルコニー手摺が設けてあり、この植栽容器用床面に沿って設けられているバルコニー手摺の下部に当該植栽容器の植物の管理用開口部が当該植栽容器用床面に沿って設けてあることを特徴とするバルコニーとしてある。
【００１２】
このように構成されるバルコニーにあっては、バルコニーの内側から容易、かつ、安全に植栽植物の観察管理ができ、必要に応じて当該植栽植物の植え替えや土の入れ替え等を容易、かつ、安全になすことができる。
【００１３】
また、このように構成されるバルコニーにあっては、バルコニーの内側、さらには、室内側において座った目線位置で、植栽植物を無理なく観賞することができ、自然な趣に溢れたバルコニーを構成することができる。
【００１４】
また、このように構成されるバルコニーにあっては、天然の植物によって独特の趣のもたらされるバルコニー内を整然とした態様に整えることができ、同時にバルコニー内を効率良く用いることができる。
【００１５】
また、このように構成されるバルコニーにあっては、このバルコニーを構成するバルコニー手摺における前記管理用開口部以外を目隠し状に構成することによって、外からの視線を意識することなく植栽植物を観賞することができ、同時に植栽植物を太陽光と風とを最適の条件のもとで受け得る環境下におくことができる。
【００１６】
また、このように構成されるバルコニーにあっては、建物の外観をバルコニーの下縁に沿って備えられる植栽植物によって趣に溢れた態様とすることができ、当該建物を含む街の景観をよりよくすることができる。
【００１７】
かかる構成からなるバルコニーにあって、前記管理用開口部に引き戸が備えられているバルコニーでは、この管理用開口部の開閉操作によって、当該バルコニーにおける遮蔽機能を更に増し、よりプライバシーの保護される空間として構成したり、雨の降り込みを防いだり、寒風を避けたりし、また、風通しを良くしたり、花卉等の植栽植物の観賞や、観察・管理等に都合良く対応し、また、バルコニー側からの物等の落下を防ぐことができる。
【００１８】
かかる構成からなるバルコニーにあって、前記管理用開口部の縦幅を１５０ｍｍ〜３５０ｍｍとしたバルコニーでは、当該開口部の管理を、より確実になすことができ、植栽容器用床面に置かれた植栽容器に植栽されている植物を都合良く観賞できると同時に、当該植栽植物を都合良く観察・管理でき、また、必要とされる風を都合良く取込み得ると共に、バルコニーからの落下事故等を都合良く回避することができる。
【発明の効果】
【００１９】
この発明に係るバルコニーは、花卉類の植栽容器用床面をバルコニー手摺の外側に設け、しかも、この植栽植物の管理用開口部を当該植栽容器用床面に沿ってバルコニー手摺の下部に設けてあることから、植栽されている植物は自然な太陽光を受け得る位置で、しかも、風通しの良い状態に置かれると共に、管理用開口部から安全に、かつ、容易に観察・管理することができる。また、バルコニー内部はすっきりとした状態で快適に用い得る空間とされ、同時に、植栽植物によって外からの視線が回避されて当該植栽植物をバルコニー手摺の下部側に備えた快適な使い勝手の良いバルコニーとすることができる。また、建物の外からは、バルコニーの下縁に沿って花卉等の植物が一連に観賞することができ、建物の外観を良くすると同時に街自体の景観を良好とすることができる。
【発明を実施するための最良の形態】
【００２０】
以下、図１〜図３にもとづいて、この発明を実施するための最良の形態に係るバルコニーについて説明する。
【００２１】
なお、ここで図１は当該発明を実施するための最良の形態に係る典型的なバルコニーＡを建物Ｂの開口Ｂｂからの突き出し方向で断面した状態を、図２では、これを建物Ｂの外壁Ｂａに平行な向きで断面した状態を、更に、図３では、建物部分を破断して上方から見た状態を示している。
【００２２】
この発明に係るバルコニーＡは、バルコニー床１０とバルコニー手摺３０とを備えるバルコニーＡであって、このバルコニーＡにおけるバルコニー床１０の外周縁部に植物Ｅの植栽容器Ｄの落下を防ぐ立上り壁２０が設けてあり、この立上り壁２０との間に植物Ｅの植栽容器Ｄを並べ置き得る植栽容器用床面１０ｂを設けるように当該立上り壁２０から離してバルコニー手摺３０が設けてあり、この植栽容器用床面１０ｂに沿って設けられているバルコニー手摺３０の下部に当該植栽容器Ｄの植物Ｅの管理用開口部Ｃが当該植栽容器用床面１０ｂに沿って設けた構成としてある。
【００２３】
なお、ここでバルコニーＡとは、建物Ｂの外壁Ｂａから張り出し状態に備えられている床を意味し、ベランダを含むものである。
【００２４】
また、このバルコニーＡは前記構成を備え得るものであれば、いかなる素材によって構成してあっても、また、いかなる構成としてあってもよく、いかなる形状に構成してあってもよい。
【００２５】
また、このバルコニー床１０の外周縁部に備えられる立上り壁２０は、この建物Ｂの外壁Ｂａから張り出すように備えられているバルコニー床１０の外周縁部の全部に亘るように設けてあっても、その一部に設けてあってもよい。例えば、平面視で長方形状をなすバルコニー床１０の建物Ｂの外壁Ｂａに平行な先端縁部にのみ設けてあっても、また、この外壁Ｂａに平行なバルコニー床１０の先端縁部と、これに連続するようにバルコニー床１０の外壁Ｂａに直交する向きにある側端縁部とに亘るように設けてあってもよく、更に、この建物Ｂの外壁Ｂａから張り出し状態に設けられているバルコニー床１０の外周縁部の全てに当該立上り壁２０を設けてあってもよい。
【００２６】
ここでバルコニー床１０の外周縁部に備えられる立上り壁２０は、植物Ｅの植栽容器Ｄの落下を防ぎ得る構成を備えたものであれば、いかなる構成のものであってもよく、例えば、バルコニー床１０に連続して、植栽容器Ｄを隠す程度に立ち上げられた背丈が低く、上端に笠木２１を備えた立上り壁２０等として構成される。
【００２７】
また、ここで花卉類の植栽に用いられる容器Ｄは、各種の植木鉢類やプランター等いかなる形態のものであってもよく、植栽する植物Ｅの植栽に都合の良い形態、大きさのものとして用意される。例えば、バルコニーＡの長手方向に長く一連をなして連続するように平面視で長方形状のプラスチック製のプランターが好適に用いられる。
【００２８】
また、この植栽容器用床面１０ｂは、基本的にはバルコニー床１０に連続する床として構成してあり、前記立上り壁２０とバルコニー手摺３０との間に当該植栽容器Ｄを載せ置いて管理に都合の良い幅で、バルコニー床１０の外周縁部に沿って設けてあれば、いかなる形態に構成してあってもよい。
【００２９】
また、このバルコニーＡを構成するバルコニー手摺３０は、バルコニー手摺３０としての要件を満たして備えられたバルコニー手摺３０であれば、いかなるバルコニー手摺３０であってもよく、例えば、建物Ｂにおける袖壁風な丈の低い壁部の上端に笠木を備えた手摺であっても、また、上端に笠木を備えるフェンス状の手摺であっても、更に、各支柱３２間にパネル３４を張り込み、かつ、上端に笠木を備えた手摺、また、これらの各種形態の手摺の組み合わされた手摺等、種々の形態に係る手摺とすることができる。
【００３０】
また、バルコニー手摺３０の下部に備えられる管理用開口部Ｃは、前記植栽容器用床面１０ｂに載せ置き管理する植栽植物Ｅの観察・管理に都合が良く、しかも、バルコニー側または室内側から容易に観賞できる位置に、管理に都合の良い開口幅を備えたものとして設けてあれば、いかなる形態に構成してあっもよい。
【００３１】
かかる管理用開口部Ｃは、植栽植物Ｅの観察・管理や、バルコニーＡにおける意匠面等から、例えば、バルコニー手摺３０における下部に横方向に向けて長い長方形状の開口として構成したり、また、バルコニー手摺３０における下部の横方向に所定間隔を離して複数個の管理用開口部Ｃを連続して設けるようにするなど適宜の形態に設けることができる。
【００３２】
この図示例に係るバルコニーＡは、建物Ｂの外壁Ｂａから屋外に向けて張り出すバルコニー床１０と、当該バルコニー床１０の外周縁部に設けられている立上り壁２０と、この立上り壁２０の内側にあって植栽容器Ｄを載せ置く植栽容器用床面１０ｂを離して当該バルコニー床１０から起立するように備えられているバルコニー手摺３０とを備えて構成してある。
【００３３】
また、この図示例に係るバルコニーＡでは、バルコニー床１０に対して建物Ｂに備えられている掃き出し窓Ｂｃから出入りし得る構成としてあり、バルコニー床１０の床面１０ａに建物Ｂ側から先端側に向けて下がる下り勾配の傾斜を設け、バルコニー手摺３０の起立位置の建物Ｂ側に雨水溝１０ｃを設けてある。また、このバルコニー床１０の一部であって、このバルコニー手摺３０によって区分されている植栽容器用床面１０ｂを同様にバルコニー手摺３０の側から立上り壁２０側に向けて下がる傾斜面とし、この立上り壁２０に沿って雨水溝１０ｄを設けるようにしてある。
【００３４】
かかるバルコニー床１０は要請される所定の耐水性を備えて構成してあり、雨水を円滑に雨水溝１０ｃ、１０ｄに案内して排水し得る構成としてある。
【００３５】
また、この立上り壁２０は、植栽用容器Ｄが、風等によって当該バルコニーＡから落下したり、植栽時や容器Ｄの取り替え時等において植栽容器Ｄ等が落下するのを防止し得る高さを備えており、同時に、容器Ｄに植栽されて植栽容器用床面１０ｂに置かれた植栽植物Ｅに対して都合良く太陽光があたり、しかも、都合良く風があたり得る高さとなるように設けてある。
【００３６】
また、このバルコニー床１０の一部に備えられる植栽容器用床面１０ｂは、当該植栽容器Ｄを都合良く載せ置きが可能で、しかも、この容器Ｄに植栽されている植物Ｅの観察・管理に都合の良い幅を備えた構成としてある。
【００３７】
また、この図示例に係るバルコニー手摺３０は、バルコニー床１０から起立されている立上り基部３１に、所定間隔毎に支柱３２が設けてあり、この各支柱３２上に笠木３３が設けてある。また、各支柱３２間に、この互いに向きあっている支柱３２に亘るように横桟３５が設けてあり、この各支柱３２と横桟３５と笠木３３とで囲まれた空間をパネル３４で塞いだ構成としてある。この支柱３２と笠木３３と横桟３５とで囲まれた空間を塞ぐパネル３４は、バルコニー手摺３０の使用態様にあわせて適宜の材、例えば、各種の金属製板材、強化プラスチック製板材、各種窯業系板材、ガラス板や、更に、これらの複合材等によって構成することができ、サッシ枠３６による嵌め殺し状態での組み付けや、取り付け金物等の適宜の手段で備え付けるようにしてあり、この図示例にあっては、取付金物３４ａを用いて各支柱３２に備え付けてある。
【００３８】
また、この図示例に係る管理用開口部Ｃは、前記支柱３２と横桟３５と立上り基部３１とで構成される横長の開口部Ｃとして構成してある。かかる管理用開口部Ｃは、この開口部Ｃを開口状態のままで設置してあっても良いが、この図示例におけるように、支柱３２と横桟３５と立上り基部３１の内側にサッシ枠３６を設け、このサッシ枠３６の上枠と下枠、すなわち、前記横桟３５の下面と、立上り基部３１の上面とに備えられているサッシ枠３６に、レール３６ａを設け、このレール３６ａにガラス引き戸３７を嵌め込んだ構成としてあってもよい。
【００３９】
かかる管理用開口部Ｃに嵌め込まれるガラス引き戸３７は、適宜、必要時に設置し、不要時には、これを取り外して管理用開口部Ｃを開き放した状態にして用いることができ、また、必要に応じて、当該管理用開口部Ｃにガラス引き戸３７を備え付けて当該管理用開口部Ｃを塞いで用いたり、あるいは、当該管理用開口部Ｃを適宜開閉操作しながら用いてもよい。
【００４０】
また、この図示例では、この管理用開口部Ｃを塞ぐガラス引き戸３７を透明のガラス板を備える構成とし、この管理用開口部Ｃを塞いだ状態においても、植栽植物Ｅを観賞できるようにして用いることができる。
【００４１】
また、バルコニー手摺３０を構成するパネル３４を不透明材で構成することによって、バルコニーＡ内空間を、前記植栽植物Ｅと共に外部から覗き見できない空間として構成することができ、バルコニーＡの内側や、さらには、掃き出し窓Ｂｃ越しに建物Ｂのリビングルーム等からバルコニー手摺３０下に植栽されている花卉等の植物Ｅを観賞することができる。
【００４２】
この図示例に係るバルコニーＡでは、バルコニー床１０の全外周縁部に沿って、植栽容器用床面１０ｂを設け、しかも、このバルコニー床１０の外周縁部に備えられている植栽容器用床面１０ｂに沿って備えられているバルコニー手摺３０の下部に複数個の管理用開口部Ｃを当該植栽容器用床面１０ｂの全幅に沿うように設けてある。
【００４３】
なお、この図示例にあっては、バルコニーＡに備えられる立上り壁２０とバルコニー手摺３０の芯−芯間寸法をほぼ４５５ｍｍとし、当該立上り壁２０の植栽容器用床面１０ｂからの立ち上がり寸法を２００ｍｍ〜４００ｍｍ、より適切には３００ｍｍとしてある。また、バルコニー手摺３０に備えられる管理用開口部Ｃを前記植栽容器用床面１０ｂに載せ置いた植栽容器Ｄの花卉等が都合良くのぞき得る位置に、縦向きの開口幅を１５０ｍｍ〜３５０ｍｍ、より適切には３００ｍｍとして備えるようにしてある。
【００４４】
このように構成されるバルコニーＡにあっては、バルコニーＡ内がすっきりとした状態とされ、バルコニーＡ内における使い勝手が良好とされる。また、このように構成されるバルコニーＡにあっては、外部から当該バルコニーＡ内を覗き見ることができず、外部の視線を意識することなくバルコニーＡを用いることができる。また、バルコニーＡに憩いをもたらす植栽植物Ｅの観察・管理を、安全に、しかも、容易になすことができ、植栽される植物Ｅに都合良く太陽光や風をもたらすことができる。
【００４５】
また、建物Ｂの外観を花卉等で飾った態様とすることができ、個々の建物Ｂを同様に構成することによって街の景観を良好にすることができる。
【００４６】
このように構成されるバルコニーＡにあっては、バルコニーＡの内側から容易、かつ、安全に植栽植物Ｅの観察管理ができ、必要に応じて当該植栽植物Ｅの植え替えや土の入れ替え等を容易、かつ、安全になすことができる。
【００４７】
また、このように構成されるバルコニーＡにあっては、バルコニーＡの内側、さらには、室内側において座った目線位置で、植栽植物Ｅを無理なく観賞することができ、自然な趣に溢れたバルコニーＡを構成することができる。
【００４８】
また、このように構成されるバルコニーＡにあっては、天然の植物Ｅによって独特の趣のもたらされるバルコニーＡ内を整然とした態様に整えることができ、同時にバルコニーＡ内を効率良く用いることができる。
【００４９】
また、このように構成されるバルコニーＡにあっては、このバルコニーＡを構成するバルコニー手摺３０における前記管理用開口部Ｃ以外を目隠し状に構成することによって、外からの視線を意識することなく植栽植物Ｅを観賞することができ、同時に植栽植物Ｅを太陽光と風とを最適の条件のもとで受け得る環境下におくことができる。
【００５０】
また、このように構成されるバルコニーＡにあっては、建物Ｂの外観をバルコニーＡの下縁に沿って備えられる植栽植物Ｅによって趣に溢れた態様とすることができ、当該建物Ｂを含む街の景観をよりよくすることができる。
【００５１】
かかる構成からなるバルコニーＡにあって、前記管理用開口部Ｃに引き戸３７が備えられているバルコニーＡでは、この管理用開口部Ｃの開閉操作によって、当該バルコニーＡにおける遮蔽機能を更に増し、よりプライバシーの保護される空間として構成したり、雨の降り込みを防いだり、寒風を避けたりし、また、風通しを良くしたり、花卉等の植栽植物Ｅの観賞や、観察・管理等に都合良く対応し、また、バルコニーＡ側からの物等の落下を防ぐことができる。
【００５２】
かかる構成からなるバルコニーＡにあって、前記管理用開口部Ｃの縦幅を１５０ｍｍ〜３５０ｍｍとしたバルコニーＡでは、当該開口部Ｃの管理を、より確実になすことができ、植栽容器用床面１０ｂに置かれた植栽容器Ｄに植栽されている植物Ｅを都合良く観賞できると同時に、当該植栽植物Ｅを都合良く観察・管理でき、また、必要とされる風を都合良く取込み得ると共に、バルコニーＡからの落下事故等を都合良く回避することができる。
【図面の簡単な説明】
【００５３】
【図１】典型的なバルコニーの側方から見た要部縦断面図
【図２】同要部を外壁に平行に断面した断面図
【図３】同バルコニーの上方で切断した平断面図
【符号の説明】
【００５４】
Ａ  バルコニー    
Ｃ  管理用開口部
Ｄ  植栽容器
Ｅ  植栽植物
１０ｂ  植栽容器用床面
２０ 立上り壁
３０  バルコニー手摺
【図１】
2007224690.tif 000003
【図２】
2007224690.tif 000004
【図３】
2007224690.tif 000005